(57)【要約】【課題】  ＥＶＦ表示中に被写界深度の状態や背景のぼけ具合を確認するために絞り込みスイッチが操作された場合にも、良好なＥＶＦ表示が得られるようにする。【解決手段】  撮影レンズを介して結像する光学像を電気信号に変換する撮像素子１４と、撮影前画像や撮影画像を表示可能な画像表示装置２８と、撮影レンズの絞りを任意の絞り値に絞り込むための絞り込みスイッチ７４とを備えた撮像装置において、画像表示装置２８にて撮影前画像を表示する電子ビューファイダ時に、絞り込みスイッチ７４が操作された場合、撮像素子１４の出力条件又は出力信号の処理を変更するようにした。【選択図】  図１
2006270426.tif 000002
【特許請求の範囲】
【請求項１】
撮影レンズを介して結像する光学像を電気信号に変換する撮像素子と、
撮影後の画像を表示するための、もしくは撮影前の画像を電子ビューファインダとして表示するための画像表示手段と、
前記撮影レンズの絞りを所定の範囲内の任意の絞り値に絞り込むための絞り込み操作部材と、
前記画像表示手段にて撮影前の画像を表示する電子ビューファイダ時に、前記絞り込み操作部材が操作された場合、操作される前の状態に対して、前記撮像素子の出力条件又は出力信号の処理を変更する変更手段とを備えたことを特徴とする撮像装置。
【請求項２】
前記変更手段は、前記出力信号の増幅率を変更することを特徴とする請求項１に記載の撮像装置。
【請求項３】
前記変更手段は、前記出力条件のうち前記撮像素子の電荷蓄積時間を変更することを特徴とする請求項１に記載の撮像装置。
【請求項４】
前記変更手段は、シャッター秒時及び絞り値を任意に設定できる撮影モードでは前記撮像素子の出力条件又は出力信号の処理の変更を行わないことを特徴とする請求項１〜３のいずれか１項に記載の撮像装置。
【請求項５】
光学ファインダを備え、前記光学ファインダ使用時は測距手段及び測光手段を用いてオートフォーカス処理及び自動露出処理を行い、電子ビューファインダ使用時には前記撮像素子から出力される信号に基づいてオートフォーカス処理及び自動露出処理を行うことを特徴とする請求項１〜４のいずれか１項に記載の撮像装置。
【請求項６】
撮影レンズを介して結像する光学像を電気信号に変換する撮像素子と、撮影後の画像を表示するための、もしくは撮影前の画像を電子ビューファインダとして表示するための画像表示手段と、前記撮影レンズの絞りを所定の範囲内の任意の絞り値に絞り込むための絞り込み操作部材とを備えた撮像装置の制御方法であって、
前記撮像装置が、前記画像表示手段にて撮影前の画像を表示する電子ビューファイダ時に、前記絞り込み操作部材が操作された場合、操作される前の状態に対して、前記撮像素子の出力条件又は出力信号の処理を変更する変更手順を行うことを特徴とする撮像装置の制御方法。
【請求項７】
撮影レンズを介して結像する光学像を電気信号に変換する撮像素子と、撮影後の画像を表示するための、もしくは撮影前の画像を電子ビューファインダとして表示するための画像表示手段と、前記撮影レンズの絞りを所定の範囲内の任意の絞り値に絞り込むための絞り込み操作部材とを備えた撮像装置を制御するためのコンピュータプログラムであって、
前記画像表示手段にて撮影前の画像を表示する電子ビューファイダ時に、前記絞り込み操作部材が操作された場合、操作される前の状態に対して、前記撮像素子の出力条件又は出力信号の処理を変更する変更する処理をコンピュータに実行させることを特徴とするコンピュータプログラム。
【発明の詳細な説明】
【技術分野】
【０００１】
本発明は、電子ビューファインダを用いて被写体像を確認することができる撮像装置、その制御方法、及びコンピュータプログラムに関する。
【背景技術】
【０００２】
従来、動画モニタ機能を有する電子スチルカメラ、すなわちモニタ等に撮影前画像を出力する機能（電子ビューファインダ（ＥＶＦ）機能）を有する電子スチルカメラが知られている。
【０００３】
このような電子スチルカメラにおいて、ＣＭＯＳやＣＣＤによって得られた映像信号は、データ処理回路等によって所定の処理が施された後、モニタに動画として出力される。動画出力のためのフレームレートは、ＴＶ出力の規格として、ＮＴＳＣで１／３０、ＰＡＬで１／２５（インタレース方式ではそれぞれ１／６０と１／５０）となっており、ＣＭＯＳにおける電荷蓄積時間は通常１／３０秒以下であるため、データ処理回路等は１／３０秒以下の時間内に映像信号をモニタに出力しなければならない。
【０００４】
ところで、一眼レフカメラにおいては、撮像面の前に位置する主ミラーにより、通常、撮影レンズを通った光束は、光学ファインダを通して撮影者が被写体を確認することができる。
【０００５】
加えて、撮影レンズの絞りにより被写体の合焦範囲が変わるので（被写界深度）、一眼レフカメラでは、被写界深度や背景のぼけ具合を確認するために絞りを駆動するための絞り込みスイッチが備えられており、撮影するときの絞りではどのような被写界深度になり、どういったぼけ具合になるかを確認することができる。
【０００６】
特許文献１にあるように、光学ファインダと電子ビューファインダを切り替えた際に、カメラに設定されているＴｖ／Ａｖ値で撮影をした画像を電子ファインダに出力するという機能については提案されている。
【０００７】
また、特許文献２にあるように、複数の測距点を指定し、それらの測距点が被写界深度に収まる絞り値を求め、絞りをその絞り値に設定し、センサーゲインも切り替えてファインダ像が一定となるようにする電子ファインダの機能については提案されている。
【０００８】
【特許文献１】特開２００３−６０９４３号公報
【特許文献２】特開２００２−２４４０２５号公報
【発明の開示】
【発明が解決しようとする課題】
【０００９】
しかしながら、近年、一眼レフ以外のデジタルカメラではＥＶＦが常識となっており、一眼レフタイプのデジタルカメラにおいてもＥＶＦの需要が非常に高まっているが、その構成上ＥＶＦ機能を有するものはなかった。
【００１０】
特許文献１では、ファインダを切り替えた時に設定された撮影条件で撮影して、画像を表示するが、表示される画像は静止画であるためＥＶＦにはならない。
【００１１】
また、特許文献２では、複数の測距点において合焦となる絞り値を演算で求め、その絞り値でＥＶＦ表示するが、測距して合焦しないと絞りが決まらないため絞り込まなかった。加えて、任意の絞り値を設定する手段や任意に絞りを絞り込むためのスイッチが無かったり、ファインダの切り替えができなかったり、ゲイン調整だけで適正画像にならないときの解決手段がなかった。
【００１２】
一眼レフ以外のコンパクト系デジタルカメラにおいても、ＥＶＦの状態で、つまり撮影前に被写界深度を確認できることが望まれていたが、一眼レフタイプのデジタルカメラと同様に、実絞りをそのまま絞ったのでは、被写体像が暗くなってしまうという問題があった。
【００１３】
本発明は上記のような点に鑑みてなされたものであり、ＥＶＦ表示中に被写界深度の状態や背景のぼけ具合を確認するために実絞りが絞り込まれた場合にも、良好なＥＶＦ表示が得られるようにすることを目的とする。
【課題を解決するための手段】
【００１４】
本発明の撮像装置は、撮影レンズを介して結像する光学像を電気信号に変換する撮像素子と、撮影後の画像を表示するための、もしくは撮影前の画像を電子ビューファインダとして表示するための画像表示手段と、前記撮影レンズの絞りを所定の範囲内の任意の絞り値に絞り込むための絞り込み操作部材と、前記画像表示手段にて撮影前の画像を表示する電子ビューファイダ時に、前記絞り込み操作部材が操作された場合、操作される前の状態に対して、前記撮像素子の出力条件又は出力信号の処理を変更する変更手段とを備えた点に特徴を有する。
本発明の撮像装置の制御方法は、撮影レンズを介して結像する光学像を電気信号に変換する撮像素子と、撮影後の画像を表示するための、もしくは撮影前の画像を電子ビューファインダとして表示するための画像表示手段と、前記撮影レンズの絞りを所定の範囲内の任意の絞り値に絞り込むための絞り込み操作部材とを備えた撮像装置の制御方法であって、前記撮像装置が、前記画像表示手段にて撮影前の画像を表示する電子ビューファイダ時に、前記絞り込み操作部材が操作された場合、操作される前の状態に対して、前記撮像素子の出力条件又は出力信号の処理を変更する変更手順を行う点に特徴を有する。
本発明のコンピュータプログラムは、撮影レンズを介して結像する光学像を電気信号に変換する撮像素子と、撮影後の画像を表示するための、もしくは撮影前の画像を電子ビューファインダとして表示するための画像表示手段と、前記撮影レンズの絞りを所定の範囲内の任意の絞り値に絞り込むための絞り込み操作部材とを備えた撮像装置を制御するためのコンピュータプログラムであって、前記画像表示手段にて撮影前の画像を表示する電子ビューファイダ時に、前記絞り込み操作部材が操作された場合、操作される前の状態に対して、前記撮像素子の出力条件又は出力信号の処理を変更する変更する処理をコンピュータに実行させる点に特徴を有する。
【００１５】
すなわち、ＥＶＦ使用時に、実際の撮影に先立って絞り込み操作部材が操作されると、設定された絞り値まで絞りを絞り込むことになるが、絞りを絞り込むと撮像素子への入射光量固定となり、ＥＶＦでの表示は適正露出でなくなる。そこで、本発明では、ＥＶＦ表示で適正露出を得るために、撮像素子から出力される信号の増幅率や撮像素子の電荷蓄積時間等の出力条件を変更するようにしたものである。
【発明の効果】
【００１６】
本発明によれば、電子ビューファインダを持つデジタルカメラ等の撮像装置において、ＥＶＦ表示中に被写界深度の状態や背景のぼけ具合を確認するために絞り込みスイッチ等の操作部材が操作されて実絞りが絞り込まれた場合にも、良好なＥＶＦ表示が得られる。
【発明を実施するための最良の形態】
【００１７】
以下、添付図面を参照して、本発明の好適な実施形態について説明する。
図１は、本発明が適用される実施形態の撮像装置の構成を示す図である。同図において、１００は撮像装置本体である。１２は撮像素子１４への露光量を制御するためのシャッターである。１４は光学像を電気信号に変換する撮像素子である。撮影レンズ３１０に入射した光線は、一眼レフ方式によって絞り３１２、レンズマウント３０６及び１０６、ミラー１３０、シャッター１２を介して導かれ、光学像として撮像素子１４上に結像する。
【００１８】
１６はＡ／Ｄ変換器であり、撮像素子１４のアナログ信号出力をデジタル信号に変換する。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。また、画像処理回路２０においては、必要に応じて撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュ調光）処理を行う。さらに、画像処理回路２０においては、撮像した画像データを用いて所定の演算処理を行い、得られた演算結果に基づいてＴＴＬ方式のＡＷＢ（オートホワイトバランス）処理も行う。
【００２０】
本実施形態においては、測距部４２及び測光部４６を専用に備える構成としたので、光学ファインダ使用時は測距部４２及び測光部４６を用いてＡＦ（オートフォーカス）処理、ＡＥ（自動露出）処理、ＥＦ（フラッシュ調光）処理の各処理を行い、ＥＶＦ使用時は画像処理回路２０を用いたＡＦ（オートフォーカス）処理、ＡＥ（自動露出）処理、ＥＦ（フラッシュ調光）処理の各処理を行うように自動で切り替える。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いは、Ａ／Ｄ変換器１６のデータが直接メモリ制御回路２２を介して、画像表示メモリ２４或いはメモリ３０に書き込まれる。
【００２２】
２４は画像表示メモリである。２６はＤ／Ａ変換器である。２８はＴＦＴ ＬＣＤ等からなる画像表示装置であり、画像表示メモリ２４に書き込まれた表示用の画像データはＤ／Ａ変換器２６を介して画像表示装置２８により表示される。ＥＶＦの場合は、画像表示装置２８を用いて撮像した画像データを逐次表示して、ＥＶＦ機能を実現している。また、画像表示装置２８は、システム制御回路５０の指示により任意に表示をＯＮ／ＯＦＦすることが可能であり、表示をＯＦＦにした場合には撮像装置の電力消費を大幅に低減することができる。
【００２３】
３０は撮影した静止画像や動画像のデータを格納するためのメモリであり、所定枚数の静止画像のデータや所定時間の動画像のデータを格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２５】
４０はシャッター制御部であり、測光部４６からの測光情報に基づいて絞り３１２を制御する絞り制御部３４０と連携しながらシャッター１２を制御する。
【００２６】
４２はＡＦ（オートフォーカス）処理を行うための測距部であり、撮影レンズ３１０に入射した光線を、一眼レフ方式によって、絞り３１２、レンズマウント３０６及び１０６、ミラー１３０、そして不図示の測距用サブミラーを介して測距部４２に入射させることにより、光学像として結像された画像の合焦状態を測定することができる。
【００２７】
４６はＡＥ（自動露出）処理を行うための測光部であり、撮影レンズ３１０に入射した光線を、一眼レフ方式によって、絞り３１２、レンズマウント３０６及び１０６、ミラー１３０及び１３２、そして不図示の測光用レンズを介して測光部４６に入射させることにより、光学像として結像された画像の露出状態を測定することができる。また、測光部４６は、フラッシュ４８と連携することによりＥＦ（フラッシュ調光）処理機能も有するものである。
【００２８】
４８はフラッシュであり、ＡＦ補助光の投光機能、フラッシュ調光機能も有する。
【００２９】
なお、ＥＶＦでは、撮像素子１４によって撮像した画像データを画像処理回路２０によって演算した演算結果に基づき、システム制御回路５０がシャッター制御部４０、絞り制御部３４０、測距制御部３４２に対して制御を行う、ビデオＴＴＬ方式を用いて露出制御及びＡＦ（オートフォーカス）制御を行う。このとき、測距部４２による測定結果と、撮像素子１４によって撮像した画像データを画像処理回路２０によって演算した演算結果とを共に用いてＡＦ（オートフォーカス）制御を行ってもよい。また、測光部４６による測定結果と、撮像素子１４によって撮像した画像データを画像処理回路２０によって演算した演算結果とを共に用いて露出制御を行ってもよい。
【００３０】
５０は撮像装置全体を制御するシステム制御回路である。５２はシステム制御回路５０の動作用の定数、変数、プログラム等を記憶するメモリである。
【００３１】
５４はシステム制御回路５０でのプログラムの実行に応じて、文字、画像、音声等を用いて動作状態やメッセージ等を表示する液晶表示装置、スピーカー等の表示部であり、撮像装置本体１００の操作部近辺の視認し易い位置に単数或いは複数個所設置され、例えばＬＣＤやＬＥＤ、発音素子等の組み合わせにより構成される。また、表示部５４は、その一部の機能が光学ファインダ１０４内に設置されている。
【００３２】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、レンズユニット３００の着脱状態表示、通信Ｉ／Ｆ動作表示、日付け・時刻表示、外部コンピュータとの接続状態を示す表示等がある。
【００３３】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示等がある。
【００３４】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等がある。
【００３５】
さらにまた、表示部５４の表示内容のうち、ランプ等に表示するものとしては、例えば、セルフタイマー通知ランプ等がある。このセルフタイマー通知ランプは、ＡＦ補助光と共用して用いてもよい。
【００３６】
５６は電気的に消去・記録可能な不揮発性メモリであり、例えばＥＥＰＲＯＭ等が用いられる。
【００３７】
６０、６２、６４、６６、６８、７０及び７４は、システム制御回路５０の各種の動作指示を入力するための操作手段であり、スイッチやダイアル、タッチパネル、視線検知によるポインティング、音声認識装置等の単数或いは複数の組み合わせで構成される。
【００３８】
ここで、これらの操作手段の具体的な説明を行う。６０はモードダイアルスイッチであり、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することができる。
【００３９】
６２はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。６４はシャッタースイッチＳＷ２であり、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００４０】
６６は再生スイッチであり、撮影モード状態において、撮影した画像をメモリ３０或いは記録媒体２００から読み出して画像表示装置２８によって表示する再生動作の開始を指示する。
【００４１】
６８はＯＶＦ／ＥＶＦ切り替えスイッチであり、光学ファインダ（ＯＶＦ）とＥＶＦとの切り替え設定を行うことができる。
【００４２】
７０は各種ボタンやタッチパネル等からなる操作部であり、メニューボタン、セットボタン、マクロボタン、マルチ画面再生改ページボタン、モードダイアル６０でシャッター速度優先撮影モードが設定されているときにシャッター速度を設定するためのシャッター設定手段、モードダイアル６０で絞り優先撮影モードが設定されているときに絞り値を設定するための絞り値設定手段、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示装置２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。また、プラスボタン及びマイナスボタンの各機能は、回転ダイアルスイッチを備えることによって、より軽快に数値や機能を選択することが可能となる。
【００４３】
７２は電源スイッチであり、撮像装置の電源ＯＮ／ＯＦＦの各モードを切り替え設定することができる。また、撮像装置本体１００に接続されたレンズユニット３００、外部ストロボ、記録媒体２００等の各種付属装置の電源ＯＮ／ＯＦＦの設定も合わせて切り替え設定することができる。
【００４４】
７４は絞り込みスイッチであり、絞り込みスイッチ７４を操作すると、表示部５４に表示されている絞り値になるようにレンズユニット３００の絞り３１２が絞られる。絞り３１２は撮影レンズ３１２の性能により設定できる絞り値が制限されるが、その上限及び下限を有する範囲内で任意に絞り値を設定することができる。なお、絞り値を設定は連続的に調整できるものであっても、段階的に調整できるものであってもよい。また、本実施形態では絞り込みスイッチを例にしたが、レンズ鏡筒に配置された絞りリングをユーザが回転することによって直接絞りを調整するようなものであってもよい。
【００４５】
８０は電源制御部であり、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４６】
８２、８４はコネクタであり、８６はアルカリ電池やリチウム電池等の一次電池やＮｉＣｄ電池やＮｉＭＨ電池、Ｌｉ電池等の二次電池、ＡＣアダプタ等からなる電源である。
【００４７】
９０はメモリカードやハードディスク等の記録媒体とのインターフェース、９２はメモリカードやハードディスク等の記録媒体と接続を行うコネクタである。９８はコネクタ９２に記録媒体２００が装着されているか否かを検知する記録媒体着脱検知部である。なお、本実施形態では記録媒体を取り付けるインターフェース及びコネクタを２系統持つものとして説明している。もちろん、記録媒体を取り付けるインターフェース及びコネクタは、単数或いは複数いずれの系統数を備える構成としてもよい。また、異なる規格のインターフェース及びコネクタを組み合わせて備える構成としてもよい。インターフェース及びコネクタとしては、ＰＣＭＣＩＡカードやＣＦ（コンパクトフラッシュ（登録商標））カード等の規格に準拠したものを用いて構成してよい。さらに、インターフェース９０、そしてコネクタ９２をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４８】
１０４は光学ファインダであり、撮影レンズ３１０に入射した光線を、一眼レフ方式によって、絞り３１２、レンズマウント３０６及び１０６、ミラー１３０及び１３２を介して導き、光学像として結像表示することができる。これにより、画像表示装置２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等が設置されている。
【００４９】
１２０は撮像装置本体１００をレンズユニット３００と接続するためのインターフェースである。１２２は撮像装置本体１００をレンズユニット３００と電気的に接続するコネクタである。コネクタ１２２は、撮像装置本体１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００５０】
１３０、１３２はミラーであり、撮影レンズ３１０に入射した光線を一眼レフ方式によって光学ファインダ１０４に導くことができる。なお、ミラー１３２は、クイックリターンミラーの構成としても、ハーフミラーの構成としても、どちらでも構わない。
【００５１】
２００はメモリカードやハードディスク等の記録媒体である。記録媒体２００は、半導体メモリや磁気ディスク等から構成される記録部２０２、撮像装置本体１００とのインターフェース２０４、撮像装置本体１００と接続を行うコネクタ２０６を備えている。
【００５２】
３００は交換レンズタイプのレンズユニットである。３０６はレンズユニット３００を撮像装置本体１００と機械的に結合するレンズマウントである。レンズマウント３０６内には、レンズユニット３００を撮像装置本体１００と電気的に接続する各種機能が含まれている。
【００５３】
３１０は撮影レンズである。３１２は絞りである。３２０はレンズユニット３００を撮像装置本体１００と接続するためのインターフェースである。３２２はレンズユニット３００を撮像装置本体１００と電気的に接続するコネクタである。コネクタ３２２は、撮像装置本体１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００５４】
３４０は絞り制御部であり、測光部４６からの測光情報、又は、撮像素子１４によって撮像した画像データを画像処理回路２０によって演算した演算結果に基づいて、シャッター１２を制御するシャッター制御部４０と連携しながら絞り３１２を制御する。
【００５５】
３４２は測距制御部であり、撮影レンズ３１０のフォーカシングを制御する。
【００５６】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値等を保持する不揮発メモリの機能も備えている。
【００５７】
図２及び図３は、本実施形態の撮像装置における処理動作の主ルーチンを説明するためのフローチャートである。電池交換等の電源投入により、システム制御回路５０はフラグや制御変数等を初期化し、撮像装置の各部において必要な所定の初期設定を行う（ステップＳ１０１）。
【００５８】
システム制御回路５０は、電源スイッチ７２の設定位置を判断し、電源スイッチ７２が電源ＯＦＦに設定されていたならば（ステップＳ１０２）、各表示部の表示を終了状態に変更し、フラグや制御変数等を含む必要なパラメータや設定値、設定モードを不揮発性メモリ５６に記録し、電源制御部８０により画像表示装置２８を含む撮像装置各部の不要な電源を遮断する等の所定の終了処理を行った後（ステップＳ１０３）、ステップＳ１０２に戻る。
【００５９】
電源スイッチ７２が電源ＯＮに設定されていたならば（ステップＳ１０２）、電源制御部８０により電源８６の残容量や動作情況が撮像装置の動作に問題があるか否かを判断し（ステップＳ１０４）、問題があるならば、表示部５４を用いて画像や音声により所定の警告表示を行った後（ステップＳ１０５）、ステップＳ１０２に戻る。
【００６０】
電源８６に問題が無いならば（ステップＳ１０４）、システム制御回路５０はモードダイアル６０の設定位置を判断し、モードダイアル６０が撮影モードに設定されていたならば（ステップＳ１０６）、ステップＳ１０８に進む。モードダイアル６０がその他のモードに設定されていたならば（ステップＳ１０６）、選択されたモードに応じた処理を実行した後（ステップＳ１０７）、ステップＳ１０２に戻る。
【００６１】
システム制御回路５０は、記録媒体２００が装着されているか否かの判断、記録媒体２００に記録された画像データの管理情報の取得、そして記録媒体２００の動作状態が撮像装置の動作、特に記録媒体に対する画像データの記録再生動作に問題があるか否かの判断を行い（ステップＳ１０８）、問題があるならば、表示部５４を用いて画像や音声により所定の警告表示を行った後（ステップＳ１０５）、ステップＳ１０２に戻る。記録媒体２００が装着されているか否かの判断、記録媒体２００に記録された画像データの管理情報の取得、そして記録媒体２００の動作状態が撮像装置の動作、特に記録媒体に対する画像データの記録再生動作に問題があるか否かの判断を行った結果（ステップＳ１０８）、問題が無いならば、ステップＳ１０９に進む。
【００６２】
システム制御回路５０は、使用するファインダとしてＯＶＦ／ＥＶＦを選択するＯＶＦ／ＥＶＦ切り替えスイッチ６８の設定状態を調べ（ステップＳ１０９）、ＯＶＦが選択されていたならばＯＶＦフラグを設定し（ステップＳ１１０）、ＥＶＦが選択されていたならばＥＶＦフラグを設定し（ステップＳ１１１）、フラグの設定を終えた後、ステップＳ１１２に進む。
【００６３】
ＯＶＦ／ＥＶＦ切り替えスイッチ６８を切り替えることにより、被写体を光学ファインダ１０４にて確認しながら撮影するのと、被写体を撮像素子１４によって撮像した画像データを既述した所定の処理を行って画像表示装置２８に画像表示するのとを選択することができる。ＥＶＦで画像を表示する場合には、所定間隔（フレームレート）で撮像素子１４で画像を撮像し、画像表示装置２８で表示する画像を切り替える。
【００６４】
システム制御回路５０は、表示部５４を用いて画像や音声により撮像装置の各種設定状態の表示を行う（ステップＳ１１２）。なお、画像表示装置２８の画像表示がＯＮであるならば、画像表示装置２８も用いて画像や音声により撮像装置の各種設定状態の表示を行う。
【００６５】
次に、シャッタースイッチＳＷ１が押下されていないならば（ステップＳ１２１）、ステップＳ１０２に戻る。シャッタースイッチＳＷ１が押下されたならば（ステップＳ１２１）、システム制御回路５０は、測距処理を行って撮影レンズ３１０の焦点を被写体に合わせ、測光処理を行って絞り値及びシャッター時間を決定する測距・測光処理を行い（ステップＳ１２２）、ステップＳ１２３に進む。測光処理において、必要ならばフラッシュの設定も行う。
【００６６】
システム制御回路５０は、システム制御回路５０の内部メモリ或いはメモリ５２に記憶されるＯＶＦ／ＥＶＦフラグの状態を判断し（ステップＳ１２３）、ＯＶＦフラグが設定されていたならば、ステップＳ１２５に進み、ＥＶＦフラグが設定されていたならば、ＥＶＦ表示のために撮像素子１４で撮像し、それを画像表示装置２８に所定間隔で更新しながら表示するための画像表示のための処理を行い（ステップＳ１２４）、ステップＳ１２５に進む。このステップＳ１２５のＥＶＦ表示処理の詳細については図４を用いて後述する。
【００６７】
このようにステップＳ１２３においてＥＶＦフラグが設定されていた場合は、ＥＶＦでの画像表示のための処理（ステップＳ１２４）を行うことにより、ステップＳ１２５においてシャッタースイッチＳＷ２が押下されて撮影が行われた際に、撮影される画像の確認が容易に可能となる。
【００６８】
続いて、シャッタースイッチＳＷ２が押下されていないならば（ステップＳ１２５）、シャッタースイッチＳＷ１が放されるまで（ステップＳ１２６）、現在の処理を繰り返す。シャッタースイッチＳＷ１が放されたならば（ステップＳ１２６）、ステップＳ１０２に戻る。
【００６９】
シャッタースイッチＳＷ２が押下されたならば（ステップＳ１２５）、システム制御回路５０は、撮影した画像データを記憶可能な画像記憶バッファ領域がメモリ３０にあるか否かを判断し（ステップＳ１２７）、メモリ３０の画像記憶バッファ領域内に新たな画像データを記憶可能な領域が無いならば、表示部５４を用いて画像や音声により所定の警告表示を行った後に（ステップＳ１２８）、ステップＳ１０２に戻る。
【００７０】
例えば、メモリ３０の画像記憶バッファ領域内に記憶可能な最大枚数の撮影を行った直後で、メモリ３０から読み出して記憶媒体２００に書き込むべき最初の画像がまだ記録媒体２００に未記録な状態であり、まだ１枚の空き領域もメモリ３０の画像記憶バッファ領域上に確保できない状態である場合等が、この状態の一例である。
【００７１】
なお、撮影した画像データを圧縮処理してからメモリ３０の画像記憶バッファ領域に記憶する場合は、圧縮した後の画像データ量が圧縮モードの設定に応じて異なることを考慮して、記憶可能な領域がメモリ３０の画像記憶バッファ領域上にあるか否かをステップＳ１２７において判断することになる。
【００７２】
メモリ３０に撮影した画像データを記憶可能な画像記憶バッファ領域があるならば（ステップＳ１２７）、システム制御回路５０は、撮像して所定時間蓄積した撮像信号を撮像素子１４から読み出して、Ａ／Ｄ変換器１６、画像処理回路２０、メモリ制御回路２２を介して、或いはＡ／Ｄ変換器から直接メモリ制御回路２２を介して、メモリ３０の所定領域に撮影した画像データを書き込む撮影処理を実行する（ステップＳ１２９）。このステップＳ１２９の撮影処理の詳細については図５を用いて後述する。
【００７３】
撮影処理（ステップＳ１２９）を終えたならば、ＡＷＢ（オートホワイトバランス）処理、ガンマ変換処理、色変換処理を含む各種現像処理を行う（ステップＳ１３０）。
【００７４】
一連の撮影の実行に伴い、システム制御回路５０は、メモリ３０の画像記憶バッファ領域に記憶した画像データを読み出して、インターフェース９０、コネクタ９２を介して、メモリカードやコンパクトフラッシュ（登録商標）カード等の記録媒体２００へ書き込みを行う記録処理を開始する（ステップＳ１３１）。この記録開始処理は、メモリ３０の画像記憶バッファ領域の空き画像部分に、撮影して一連の処理を終えた画像データの書き込みが新たに行われる度に、その画像データに対して実行される。なお、記録媒体２００へ画像データの書き込みを行っている間、書き込み動作中であることを明示するために、表示部５４において例えばＬＥＤを点滅させる等の記録媒体書き込み動作表示を行う。
【００７５】
システム制御回路５０は、シャッタースイッチＳＷ１が押下されているか否かを判断する（ステップＳ１３２）。シャッタースイッチＳＷ１が放された状態であるならば（ステップＳ１３２）、ステップＳ１０２に戻る。シャッタースイッチＳＷ１が押下された状態であるならば（ステップＳ１３２）、シャッタースイッチＳＷ１が放されるまで待つ。
【００７６】
図４は、ステップＳ１２５のＥＶＦ表示処理について説明するためのフローチャートである。画像表示装置２８での表示は、撮像素子１４に結像した光学像を動画出力するためのフレームレートで画像表示装置２８に出力する。
【００７７】
まず、絞り固定フラグを初期化して（ステップＳ３０１）、ミラーアップすることで（ステップＳ３０２）、光線をシャッター１２へと入射させ、撮像素子１４の電荷蓄積を開始し（ステップＳ３０３）、直ちにシャッター１２を開いて（ステップＳ３０４）、撮像素子１４への露光を行う（ステップＳ３０５）。この露光時間は、撮像素子１４に結像した光学像を画像表示装置２８に動画出力するためフレームレートによってその上限が決められる。
【００７８】
撮像素子１４の電荷蓄積終了後（ステップＳ３０６）、撮像素子１４から撮像信号を読み出し（ステップＳ３０７）、画像処理装置２０にて測距値の演算（ステップＳ３０８）、測光値の演算（ステップＳ３０９）、現像（ステップＳ３１０）を行って画像表示装置２８に表示する（ステップＳ３１１）。
【００７９】
続いて、ステップＳ３０８で求めた測距値からレンズが合焦しているか否かを判断し（ステップＳ３１２）、合焦していないならば、ずれ量分レンズを駆動する（ステップＳ３１３）。
【００８０】
また、ステップＳ３０９で求めた測光値から撮像面上の露光量が適正となっているか否かをチェックし（ステップＳ３１４）、適正範囲外となっていたら画像表示装置２８に出力する画像が適正となるように適正画像出力条件を変更する（ステップＳ３１５）。この適正画像出力条件とは、撮像素子１４への電荷蓄積を制御するための絞り３１２の絞り制御であったり、撮像素子１４の電荷蓄積時間（電子シャッター）の切り替えであったり、撮像素子１４からの撮像信号の出力を増幅、減衰するためのゲイン切り替えであったりする。
【００８１】
次に、絞り込みスイッチ７４が操作されているか否かの確認を行い（ステップＳ３１６）、絞り込みスイッチ７４がＯＦＦであるならば、絞り固定フラグをクリアして（ステップＳ３１７）、画像表示装置２８での被写体表示を継続するか否かのチェック処理（ステップＳ３２３）へと進む。
【００８２】
絞り込みスイッチ７４がＯＮであるならば、絞り３１２が既に固定されているか否かの確認のために絞り固定フラグをチェックする（ステップＳ３１８）。絞り３１２が既に所定の絞り値に絞られて固定となっていたら、ステップＳ３２３へと進み、画像表示装置２８での被写体表示を継続するか否かのチェック処理を行い、絞り３１２がまだ絞られていないならば、絞り３１２が絞られたことを表すフラグをセットし、絞り３１２を所定の絞り値まで絞り駆動する（ステップＳ３２０）。この絞り３１２を固定することで、ＥＶＦで表示される画像が適正となるように適正画像出力条件のパラメータが変更されるので、露光量の演算を再度行い（ステップＳ３２１）、画像表示装置２８に出力する画像が適正となるように適正画像出力条件を変更する。
【００８３】
絞り込みスイッチ７４を操作することで、使用者が期待するのはＥＶＦでの被写界深度や背景のぼけ具合の確認であり、ＥＶＦに表示される画像が著しく露出オーバーや露出アンダーでは被写界深度やぼけの確認ができないので、ＥＶＦに表示される画像は適正露出のものでなければならない。
【００８４】
そこで、具体的には、絞り３１２が絞られた後の絞り値が、ステップＳ３１５の適正画像出力条件の絞り値よりも大きい（絞り込む条件）の場合では、撮像素子１４への入射光量が減ることから、撮像素子１４から出力される撮像信号のゲインを上げたり、撮像素子１４の電荷蓄積時間を長くしたりする。ただし、この電荷蓄積時間は、通常、フレームレートによりその上限が決定されるが、絞り込みスイッチ７４の操作によって絞り値が固定された場合で、ゲイン切り替えでも適正画像が得られない場合には、フレームレートにこだわらず適正画像が得られる電荷蓄積時間を設定する。
【００８５】
また、絞り３１２が絞られた後の絞り値が、ステップＳ３１５適正画像出力条件の絞り値よりも小さい（絞りを開く条件）場合では、逆にゲインを下げたり、電荷蓄積時間を短くしたりする。
【００８６】
なお、撮像素子１４から出力される撮像信号のゲインは、撮像素子１４の出力段階、すなわちアナログ信号の状態で調整するようにしてもよいし、デジタル信号に変換された状態で画像処理的に調整するようにしてもよい。
【００８７】
また、撮像素子１４の適正画像出力条件の変更は、シャッター秒時及び絞り値を任意に設定できる撮影モードでは行わないようにしてもよい。
【００８８】
このように適正画像が得られる条件を設定し、ステップＳ３２３でＥＶＦでの表示を継続する場合はステップＳ３０３に戻り、一連の動作を繰り返す。
【００８９】
ステップＳ３２３でＥＶＦでの表示を終了する場合は、シャッター１２を閉じ（ステップＳ３２４）、ミラー１３０を降ろして撮像素子１４の電荷蓄積を終了して（ステップＳ３２６）、ＥＶＦでの表示を終了する。
【００９０】
図５は、ステップＳ１２９の撮影処理について説明するためのフローチャートである。なお、撮影処理においては、システム制御回路５０と絞り制御部３４０或いは測距制御部３４２との間の各種信号のやり取りは、インターフェース１２０、コネクタ１２２、コネクタ３２２、インターフェース３２０、レンズ制御部３５０を介して行われる。
【００９１】
システム制御回路５０は、ミラー１３０を不図示のミラー駆動部によってミラーアップ位置に移動するとともに（ステップＳ５０１）、システム制御回路５０の内部メモリ或いはメモリ５２に記憶される測光データに従い、絞り制御部３４０によって絞り３１２を所定の絞り値まで駆動する（ステップＳ５０２）。
【００９２】
システム制御回路５０は、撮像素子１４の電荷クリア動作を行った後に（ステップＳ５０３）、撮像素子１４の電荷蓄積を開始した後（ステップＳ５０４）、シャッター制御部４０によってシャッター１２を開き（ステップＳ３０５）、撮像素子１４の露光を開始する（ステップＳ５０６）。ここで、フラッシュフラグによりフラッシュ４８が必要か否かを判断し（ステップＳ５０７）、必要な場合はフラッシュ４８を発光させる（ステップＳ５０８）。
【００９３】
システム制御回路５０は、測光データに従って撮像素子１４の露光終了を待ち（ステップＳ５０９）、シャッター制御部４０によってシャッター１２を閉じ（ステップＳ５１０）、撮像素子１４の露光を終了する。
【００９４】
システム制御回路５０は、絞り制御部３４０によって絞り３１２を開放の絞り値まで駆動するとともに（ステップＳ５１１）、ミラー１３０を不図示のミラー駆動部によってミラーダウン位置に移動する（ステップＳ５１２）。
【００９５】
設定した電荷蓄積時間が経過したならば（ステップＳ５１３）、システム制御回路５０は、撮像素子１４の電荷蓄積を終了した後（ステップＳ５１４）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む（ステップＳ５１５）。一連の処理を終えたならば、撮影処理ルーチンＳ１２９を終了する。
【００９６】
なお、以上述べた実施形態では一眼レフカメラを例にして説明したが、それに限定されるものではなく、絞りを駆動するための絞り込み操作部材が備えらたコンパクト系デジタルカメラ等にも本発明を適用することができる。
【００９７】
本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００９８】
この場合、記憶媒体から読み出されたプログラムコード自体が上述した実施形態の機能を実現することになり、プログラムコード自体及びそのプログラムコードを記憶した記憶媒体は本発明を構成することになる。
【００９９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１００】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【０１０１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【０１０２】
【図１】本発明が適用される実施形態の撮像装置の構成を示す図である。
【図２】本実施形態の撮像装置における処理動作の主ルーチンを説明するためのフローチャートである。
【図３】本実施形態の撮像装置における処理動作の主ルーチンを説明するためのフローチャートである。
【図４】ＥＶＦ表示処理について説明するためのフローチャートである。
【図５】撮影処理について説明するためのフローチャートである。
【符号の説明】
【０１０３】
１２：シャッター
１４：撮像素子
２０：画像処理回路
２８：画像表示装置
４２：測距部
４６：測光部
５０：システム制御回路
７４：絞り込みスイッチ
１００：撮像装置本体
１０４：光学ファインダ
１３０：ミラー
１３２：ミラー
３００：レンズユニット
３１２：絞り
３４２：測距制御部
３５０：レンズシステム制御回路
【図１】
2006270426.tif 000003
【図２】
2006270426.tif 000004
【図３】
2006270426.tif 000005
【図４】
2006270426.tif 000006
【図５】
2006270426.tif 000007